(57)【要約】【課題】外槽底部の洗剤溶け残りを抑制【解決手段】外槽の底部に設けられた窪み部と、窪み部に位置して洗濯水を窪み部に流入させる流入口及び洗濯水を排水する排水口と、を有する洗濯機であって、流入口に設けた整流部材を有し、整流部材に設けられた開口部を有し、窪み部の側壁の内、排水口から遠くに位置する側壁に向けて、開口部が開口している。【選択図】図１６
2019047944.tif 000002
【特許請求の範囲】
【請求項１】
外槽の底部に設けられた窪み部と、
前記窪み部に位置して洗濯水を該窪み部に流入させる流入口及び洗濯水を排水する排水口と、を有する洗濯機であって、
前記流入口に設けた整流部材を有し、
該整流部材に設けられた開口部を有し、
前記窪み部の側壁の内、前記排水口から遠くに位置する側壁に向けて、前記開口部が開口していることを特徴とする洗濯機。
【請求項２】
前記整流部材は、
前記流入口側に一端が位置する筒状の側面と、
該側面の他端に位置して前記流入口に対向する天井部と、を有し、
前記開口部は、前記側面のうち前記側面の他端側に位置し、
前記開口部の上端は、前記天井部から遠ざかる方向に凸した形状であることを特徴とする請求項１に記載の洗濯機。
【請求項３】
前記窪み部に設けられた電導度センサを有し、該電導度センサは、前記開口部の正面側に位置していることを特徴とする請求項１又は２に記載の洗濯機。
【請求項４】
前記開口部の断面積は、前記側面の内のりの断面積よりも小さいことを特徴とする請求項１乃至３何れか一項に記載の洗濯機。
【請求項５】
当該洗濯機内に供給された洗剤を溶かす洗剤溶かし工程を実行し、
該洗剤溶かし工程は、
第１の洗剤溶かし水位まで水を供給してから循環ポンプを作動させるステップと、
該第１の洗剤溶かし水位よりも高い第２の洗剤溶かし水位まで水を供給してから前記循環ポンプを作動させるステップと、を有することを特徴とする請求項１乃至４
何れか一項に記載の洗濯機。
【発明の詳細な説明】
【技術分野】
【０００１】
本発明は、洗濯機に関する。
【背景技術】
【０００２】
特開２００８−１１３９８２号公報（特許文献１）には、「流入口１８から出た水は、太い矢印で示したように整流部材１８ａの開口部１８ｃから排水口２１に向かい流れる」構成が開示されている（００８０、図１６）。
【先行技術文献】
【特許文献】
【０００３】
【特許文献１】特開２００８−１１３９８２号公報
【発明の概要】
【発明が解決しようとする課題】
【０００４】
しかし、特許文献１記載の洗濯機において、洗剤溶かしを行う際、外槽底部に洗剤が（とりわけ粉末洗剤）溶け残ってしまうという問題があった。
【０００５】
そこで、本発明の目的は、外槽底部の洗剤溶け残りを抑制する洗濯機を提供することにある。
【課題を解決するための手段】
【０００６】
上記目事情に鑑みてなされた本発明は、外槽の底部に設けられた窪み部と、前記窪み部に位置して洗濯水を該窪み部に流入させる流入口及び洗濯水を排水する排水口と、を有する洗濯機であって、前記流入口に設けた整流部材を有し、該整流部材に設けられた開口部を有し、前記窪み部の側壁の内、前記排水口から遠くに位置する側壁に向けて、前記開口部が開口していることを特徴とする。
【発明の効果】
【０００７】
本発明によれば、外槽底部の洗剤溶け残りを抑制する洗濯機を提供することができる。
【図面の簡単な説明】
【０００８】
【図１】本発明の実施例のドラム式洗濯機を示す外観図である。
【図２】本発明の実施例のドラム式洗濯機の概略構造を側板を外して示す側面図である。
【図３】本発明の実施例のドラム式洗濯機の概略構造を上カバーを外して示す上面図である。
【図４】図２における外槽と洗濯兼脱水槽のＡ−Ａ断面図である。
【図５】本発明の実施例の外槽及び洗濯兼脱水槽の底部を示す縦断面図である。
【図６】図５における外槽と洗濯兼脱水槽のＢ−Ｂ断面図である。
【図７】本発明の実施例の蒸気弁の縦断面図である。
【図８】本発明の実施例の循環ポンプ及びフィルタ，配管系を示す斜視図である。
【図９】本発明の実施例の循環ポンプ及びフィルタケースの配管接続部を示す斜視図である。
【図１０】本発明の実施例の循環ポンプのケーシング内部形状を示す斜視図である。
【図１１】本発明の実施例の循環ポンプのランナーを示す斜視図である。
【図１２】図２に示した洗濯乾燥機の制御系のブロック線図である。
【図１３】図１２に示した制御系のコントローラにおけるマイクロコンピュータが実行する制御処理の一部を示すフローチャートである。
【図１４】図１２に示した制御系のコントローラにおけるマイクロコンピュータが実行する制御処理の他の一部を示すフローチャートである。
【図１５】本発明の実施例の流入口に整流部材を設けた場合の外槽及び洗濯兼脱水槽の底部を示す縦断面図である。
【図１６】図１５のＣ−Ｃ矢視図である。
【図１７】本発明の実施例の整流部材の（ａ）開口部側における正面図、（ｂ）（ａ）のＡ−Ａ線断面図、（ｃ）天井部近傍の拡大図である。
【発明を実施するための形態】
【０００９】
以下、本発明の一実施例について、図面を用いて説明する。
【００１０】
図１は本発明の一実施例に係るドラム式洗濯乾燥機の外観図である。図２は内部の構造を示す側面図、図３は内部の構造を示す平面図（上補強材３６の一部を切断して示している）、図４は図２の２点鎖線で切断し矢印Ａ−Ａから見た断面図、図５は洗濯槽底
部の断面図、図６は図６中２点鎖線で切断し矢印Ｂ−Ｂからみた断面図である。
【００１１】
１は、外郭を構成する筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材３６，前補強材３７，後補強材（図示せず）で結合しており、ベース１ｈを含めて箱状の筐体１を形成し、筐体として十分な強度を有している。
【００１２】
９は、前面カバー１ｃの略中央に設けた洗濯物を出し入れするための投入口を塞ぐドアで、前補強材３７に設けたヒンジ９ｃで開閉可能に支持されている。ドア開放ボタン９ｄを押すことロック機構（図示せず）が外れて開き、ドアを前面カバー１ｃに押し付けることでロックされて閉じる。前補強材３７は、後述する外槽の開口部と同心に、洗濯物を出し入れするための円形の開口部を有している。
【００１３】
６は、筐体１の上部中央に設けた操作パネルで、電源スイッチ３９，操作ボタン１２，１３，表示器１４を備える。操作パネル６は、筐体１下部に設けた制御装置３８に電気的に接続している。
【００１４】
１９は、筐体１内の上部左側に設けた上部および前部に開口を有する洗剤容器で、前部開口１９ｂから引き出し式の洗剤トレイ７を装着する。洗剤類を入れる場合は、洗剤トレイ７を図１中２点鎖線で示すように引き出す。洗剤容器１９は、筐体１の上補強材３６に固定されている。また、洗剤容器１９の左側面、やや後方に出水口１９ａを有している。従って、洗剤容器１９底面は出水口１９ａの位置が最も低くなるようなすり鉢状に形成されている。
【００１５】
洗剤容器１９の後ろ側には、給水電磁弁１６や風呂水給水ポンプ１７，水位センサ３４など給水に関連する部品を設けてある。洗剤容器１９の上部開口１９ｃには、給水電磁弁１６を取り付けた給水ユニット１５を備える。上面カバー１ｅには、水道栓からの給水ホース接続口１６ａ，風呂の残り湯の吸水ホース接続口１７ａが設けてある。
【００１６】
３は、回転可能に支持された円筒状の洗濯兼脱水槽であり、その外周壁および底壁に通水および通風のための多数の貫通孔３ｂを有し、前側端面に洗濯物を出し入れするための開口部３ａを設けてある。開口部３ａの外側には洗濯兼脱水槽３と一体の流体バランサ
３ｃを備えている。また、洗濯兼脱水槽３の回転中心軸は、水平または開口部側が高くなるように傾斜している。
【００１７】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。前面の開口部には外槽カバー２ｄを設け、外槽内への貯水を可能としている。外槽４は、下側をベース１ｈに固定されたダンパ５で防振支持されている。また、外槽４の上側は上部補強部材３６に取り付けた補助ばね３３で支持されており、外槽４の前後方向へ倒れを防ぐ。外槽カバー４ｄの前側中央には、洗濯物を出し入れするための開口部２ｃを有している。本開口部２ｃと前補強材３７に設けた開口部は、ゴム製のベローズ１０で接続しており、ドア９を閉じることで外槽２を水封する。
【００１８】
外槽２の左側外側面後部には、外槽２内へ水や洗剤類を供給する給水口２ａを設けてある。給水口２ａと洗剤容器１９の出水口１９ａは、ゴム製の蛇腹管Ａ２０で接続する。給水口２ａは蒸気弁１１を内蔵している。
【００１９】
図７は蒸気弁１１の詳細を示す断面図である。蒸気弁１１は、略円筒形状で、外径部に外槽２の給水口２ａに装着するための庇部を有している。内径部は上流側内径φｄ１より下流側内径φｄ２の方が大きく、両内径部はリング状の傾斜面１１ａで接続されている。傾斜面１１ａは洗濯兼脱水槽３側が高く外槽２の外周側が低くなるように形成している。傾斜面１１ａの最上部には内側に突出した突出部１１ｂを有しており、突出部１１ｂには複数本のピン１１ｃを設けてある。傾斜面１１ａには、傾斜面１１ａを塞ぐよう、楕円状のシート１１ｄを装着している。シート１１ｄの長軸側端部にはピン１１ｃと同じ配置の孔を設けてあり、この孔をピン１１ｃに入れ加締めることでシート１１ｄを傾斜面１１ａに固定する。従って、シート１１ｄは片持ち支持で傾斜面１１ａに固定されている。
【００２０】
シート１１ｄは、可撓性のゴムや合成樹脂製である。シート１１ｄに上側から力が作用すると（給水時）、図７中２点鎖線で示すように変形し蒸気弁１１は開となり水が流れる
。一方、乾燥時のように外槽内の圧力が洗剤容器１９内の圧力（大気圧）より高いとシート１１ｄに下側から力が作用し、シート１１ｄは傾斜面１１ｃに押しつけられ、蒸気弁
１１は閉となる。
【００２１】
外槽２の底面には、凹状の窪み部２ａが軸方向に設けてある。窪み部２ａの底面は、前側から後側に下がる傾斜面になっており、窪み部２ａの後ろ側最下部に排水口２１が設けてある。排水口２１には排水ホース２２を接続する。窪み部２ａの前側には底部循環水の流入口１８が設けてある。また、窪み部２ａの上部には、窪み部２ａの幅の略半分を覆うように外槽２外周壁の内周面から連続する隔壁２ｂを有している。隔壁２ｂは洗濯兼脱水槽３の脱水時の回転方向に対して対抗する方向に設ける。排水口２１及び流入口１８は、窪み部２ａの幅方向の中心から洗濯兼脱水槽３の回転方向にずれた位置に設置してある。このため、排水口２１と流入口１８の上部には隔壁２ｂがある。
【００２２】
窪み部２ａは、脱水時に洗濯兼脱水槽３の回転による遠心力で、貫通孔３ｂから外槽２内周面に出て、洗濯兼脱水槽３の回転方向と同一方向に流れる水を受け止め、排水口２１へ導く。隔壁２ｂは、窪み部２ａへ入った水が再び外槽２内へ循環しないように堰き止める作用を有する。
【００２３】
外槽９の内底部には電導度センサ５８が設けられており、外槽内に給水された洗濯水の電導度(硬度)を検出する。また、電導度センサ５８で水温を検出する。電導度センサ５８は、後述する図１６に例示するように、整流部材１８ａの開口部１８ｃの正面側に位置することができる。こうすることで、整流部材１８ａの正面に向けて射出される高速の水が電導度センサ５８に供給されるので、電導度センサ５８に洗剤が付着等していても、効果的に溶解させることができる。これにより、電導度センサ５８の検知精度が低下することを抑制できる。
【００２４】
外槽９の後部端面の最下部にはエアトラップ３６が設けてあり、チューブ３５で水位センサ３４と接続し、外槽２内の水位を検出する。
【００２５】
外槽２とベース１ｈとのすき間には、循環ポンプ２４，フィルタケース２３，排水弁
２５を設けてある。フィルタケース２３は、前側に開口部を有する円筒状で、内部に着脱可能なフィルタ２３ｃが装着されており、洗濯水中の異物や糸くずを捕集する。フィルタケース２３は、下部前面カバー１ｆに設けた扉１ｇを開けることで、取っ手２３ｄを回すことでフィルタ２３ｃを容易に着脱できるよう、前側が高くなるように傾斜している。循環ポンプ２４を中心とする洗濯水の循環系に関しては後で詳しく述べる。
【００２６】
８は、筐体１の上部右側に設けた引き出し式の乾燥フィルタで、フィルタを掃除する時にメッシュ式のフィルタ８ａを取り出す。乾燥フィルタ８には、乾燥ダクト２９が接続している。乾燥ダクト２９は、筐体１の背面内側に設置してあり、外槽２の後部端面下方に設けた吸気口にゴム製の蛇腹管Ｂ２９ａで接続している。乾燥ダクト２９内には、水冷除湿機構（図示せず）を内蔵しており、給水電磁弁１６ｄから給水ホース３２で、水冷除湿機構へ冷却水を供給する。
【００２７】
２８は、乾燥フィルタ８の後ろ側に設けた送風ファンで、吸気口を乾燥フィルタ８に、吐出口をヒータ（図示せず）が内蔵された温風ダクト３１に接続する。温風ダクト３１は
、ゴム製の蛇腹管（図示せず）を介して、外槽２の前部開口部に接続している。
【００２８】
乾燥運転時に送風ファン２８を運転し、ヒータに通電すると、洗濯兼脱水槽３内に温風が吹き込み、洗濯物を温め水分が蒸発する。高温多湿となった空気は、乾燥ダクト２９に吸い込まれ、水冷除湿機構を流下する冷却水で冷却除湿されて乾いた低温空気となり、フィルタ８ａを通りヒータで再度加熱され、洗濯兼脱水槽３内に吹き込むように循環する。
【００２９】
循環ポンプ２４を中心とした洗濯水の循環系について図２及び図８から図１１を用いて説明する。図８は循環ポンプ及び配管を示す斜視図、図９は循環ポンプ，フィルタケースの配管接続部を示す斜視図、図１０は循環ポンプケーシングの内部を示す斜視図、図１１は循環ポンプのランナーとモータを示す斜視図である。
【００３０】
フィルタケース２３底部奥側には、入水口２３ａ，出水口２３ｂ，循環ポンプ２４の吸入口４３が設けてある。外槽２の排水口２１と入水口２３ａとはホース２２で、排水弁
２５と出水口２３ｂとはホース４９で繋がっている。また、排水弁２５には排水ホース
２６が接続しており、機外へ洗濯水を排水する。
【００３１】
循環ポンプ２４は、ケーシング４２，ランナー４６，循環ポンプモータ４７で構成されている。ケーシング４２はフィルタケース２３と一体で形成されており、ケーシング４２の側壁４２ａの中央部に吸入口４３がある。ケーシング内周面には吐出ポートＡ４４ａと吐出ポートＢ４５ａが隔壁４６ａ，４６ｂを挟んで開口しており、それぞれ吐出口Ａ４４と吐出口Ｂ４５が接続している。隔壁４６ａ，４６ｂはケーシング４２の内側に突出した山形形状で、奥側はケーシング側壁４２ａに接し、軸方向の長さは下で述べる羽根の高さと略同一である。また、隔壁４６ａ，４６ｂの吐出ポート側壁面はほぼ垂直になっている
。この実施例では、隔壁４６ａと４６ｂは２つの山形形状になっているが、中央の谷部を有しない台形状の山形形状でもかまわない。
【００３２】
循環ポンプモータ４７の軸にはランナー４６が取り付けられている。ランナー４６には十字型の羽根４６ａ，４６ｂが形成されている。羽根４６ａは中心部が羽根ボス４６ｃと略同一高さで外周部を低くし、羽根４６ｂは羽根４６ａよりも高さを低くしてある。こうすることで、羽根４６ａと羽根４６ｂを跨ぐように糸屑が流入しても、羽根４６ａ高さが外周に向かうほど低くなっているため、遠心力で糸屑が容易にはね飛ばされ、羽根に糸屑がからむことを防止できる。
【００３３】
ランナー正面から見てランナー４６が左回転すると（以後、正回転）、吸入口４３から流入した水は、ランナー４６の遠心力によるポンプ作用でケーシング４２の内周壁に向かい押し出されケーシング４２内を右回転しながら流れるが、ケーシングと羽根との径方向すき間が狭くなる隔壁４６ａにぶつかり流れ方向を変え吐出ポートＡ４４ａから流れ出る。ランナー４６が左回転（以後、逆回転）すると、水は隔壁４６ｂにぶつかり吐出ポートＢ４５ａから流れ出る。このように、ポンプの回転方向を変えることで、特別な流路の切り換え機構を用いずにポンプの吐出方向を変えることが出来る。
【００３４】
ケーシング４２の外周部には複数個の突起部４２ｂがあり、突起部４２ｂを循環ポンプベース４８のリング状のすき間４８ｂに差し込み、ケーシング４２を回転させ、突起部
４２ｂを循環ポンプベース４８に設けたロック部４８ａで抑えることで、ケーシングを固定する。
【００３５】
吐出口Ａ４４は、蛇腹管Ｃ４１を介して外槽カバー２ｄの前側外周壁に取り付けた循環ホース２７に繋がっている。循環ホース２７は、外槽カバー２ｄ上側に設けたノズル27ａに接続している。ノズル２７ａは、薄膜状に水を水平方向に広げる形状（例えばスリット状）になっており、洗濯水を洗濯兼脱水槽３内に向かって散水する。
【００３６】
吐出口Ｂ４５は、蛇腹管Ｄ４０を介して外槽２底部の窪み部２ａに設けた流入口１８に繋がっている。
【００３７】
排水弁２５を閉じた状態で循環ポンプ２４を正回転すると、外槽２内の洗濯水は排水口２１からホース２２を通りフィルタ２３ｃで異物を除去され、循環ポンプ２４に入り、吐出口Ａ４４からはき出され、循環ホース２７を通りノズル２７ａから洗濯兼脱水槽３内に散水される。
【００３８】
循環ポンプ２４を逆回転すると、外槽２内の洗濯水は排水口２１からホース２２を通りフィルタ２３ｃで異物を除去され、循環ポンプ２４に入り、吐出口Ｂ４５からはき出され
、流入口１８から外槽２内に戻るように循環する（図５中の太い矢印で示す流れ）。
【００３９】
排水弁２５を開くと、外槽２内の洗濯水は、フィルタ２３ｃを通りホース４５から排水弁２５を経て、排水ホース２２から機外へ排水される。
【００４０】
図１２は、洗濯乾燥機の制御装置３８のブロック図である。５０はマイクロコンピュータで、各スイッチ１３，１３ａに接続される操作ボタン入力回路５１や水位センサ３４，温度センサ５２，振動センサ５３と接続され、使用者のボタン操作や洗濯工程，乾燥工程での各種情報信号を受ける。マイクロコンピュータ５０からの出力は、駆動回路５４に接続され、給水電磁弁１６，排水弁２５，循環ポンプモータ４７，モータ４，送風ファン
２８，ヒータ５５などに接続され、これらの開閉や回転，通電を制御する。また、使用者に洗濯機の動作状態を知らせるための７セグメント発光ダイオード表示器１４や発光ダイオード５６，ブザー５７に接続される。
【００４１】
前記マイクロコンピュータ５０は、電源スイッチ３９が押されて電源が投入されると起動し、図１３および図１４に示すような洗濯および乾燥の基本的な制御処理プログラムを実行する。
【００４２】
ステップＳ１０１
洗濯乾燥機の状態確認および初期設定を行う。
【００４３】
ステップＳ１０２
操作パネル６の表示器１４を点灯表示し、操作ボタンスイッチ１３からの指示入力に従って洗濯コースを設定する。指示入力がない状態では、標準の洗濯コースまたは前回実行の洗濯コースを自動的に設定する。
【００４４】
ステップＳ１０３
操作パネル６のスタートスイッチ１２からの指示入力を監視して処理を分岐する。
【００４５】
ステップＳ１０４
洗剤量検出処理を実行する。この洗剤量検出は、洗い水を給水する前の乾布状態において、洗濯兼脱水槽３を一方向に回転させたときに、規定の回転数１から規定の回転数２まで増速する間のモータ４の駆動電流積算値に基づいて洗濯物の布量を検出するようにモータ４を制御し、検出した布量に基づいて洗剤の適量（洗剤量）を求めることによって行う。洗剤量は、予め設定した布量と洗剤量の対照テーブルを参照することによって求める。
【００４６】
また、この検出結果（布量）に基づいて洗濯時間を求めて設定する。布量検出が行われない時には、標準の洗濯時間を設定する。
【００４７】
ステップＳ１０５
求めた洗剤量を操作パネル８の表示器２５に表示する。
【００４８】
ステップＳ１０６
使用者は、洗剤トレイ７を引き出し、表示された量の粉末洗剤を洗剤トレイ７へ投入する。マイクロコンピュータ５０は、使用者が洗剤を洗剤トレイ７へ入れるのに必要な時間（例えば１分間）待機した後、給水電磁弁１６ｂを開き、洗剤トレイ７へ散水し、粉末洗剤を洗剤容器１９内へ流すよう給水を実行する。粉末洗剤は、給水の水と共に洗剤容器１９の出水口１９ａから蛇腹管Ａ２０を通り、外槽２の給水口２ａから外槽２の底部窪み部２ａに流下する。
【００４９】
給水口２ａで水は、流れの向きを蒸気弁１１のシート１１ｄで外槽２の内周面に向かうよう整流され（図４および図７の矢印で示すように流れる）、外槽２の内周面に沿って流れるため、水や洗剤が洗濯兼脱水槽３内に流れ込むことはない。このようにシート１１ｄの整流作用で、未溶解の粉末洗剤が直接洗濯物に触れることによる色落ちや色むらの発生を防止できる。
【００５０】
また、洗剤が液体洗剤の場合は、給水電磁弁１６ｂが開く前に高濃度の液体洗剤が外槽２内に流下するのを防ぐために、洗剤トレイ７に液体洗剤用の部屋を設け、ここに一旦溜めておき、給水電磁弁１６ｂからの給水で希釈しながら外槽４へ供給するのが一般的である。本実施例では、シート１１ｄの整流作用で洗剤が直接洗濯兼脱水槽３内へ流入することがないため、液体洗剤用の部屋を洗剤トレイに設ける必要がなく、洗剤トレイ７の構造を簡単化でき、低コスト化を図ることができる。
【００５１】
ステップＳ１０７
洗剤溶かし水位１まで給水したら給水を停止する。この洗剤溶かし水位１は、２リットル以上５リットル以下、好ましくは３リットル以上４リットル以下の水を給水したときの水位をいうことができる。給水量の制御は、水位センサ３４により行う。この水量は洗剤循環時の第三の流路に洗濯水を出す循環流路において、第二の流路の外槽への吐出口に整流部品または整流部材の吐出口が完全に洗濯水に浸かるものとして設定できるが、少ない給水量であることが好ましい。
【００５２】
ステップＳ１０８
循環ポンプモータ４７に通電し、循環ポンプ２４を逆回転させ洗剤溶かしを実行する。外槽２の底部及び窪み部２ｂに溜まっている水と洗剤は、排水口２１からホース２２，フィルタ２３ｃを通り吸入口４３からケーシング４２内に入る。そして、吐出口Ｂ４５からはき出され、蛇腹管Ｄ４０を通り流入口１８から窪み部２ａに戻るように循環する。洗剤は、ランナー４６の羽根４６ａ，４６ｂで攪拌され溶解していき、高洗剤濃度の洗い水が生成される。洗剤溶かしの時間は５秒から１分間である。
【００５３】
流入口１８から窪み部２ａへ流れ出るときの流れ方向は上向きであるが、隔壁２ｂに当たり、流れ方向を排水口２１側に変える（図５中の太い矢印）。このため、洗剤溶かし初期段階で未溶解の洗剤が多く含まれる水が循環しているときでも、未溶解の洗剤が洗濯槽３内に直接流入することを防ぐことができる。
【００５４】
しかし、隔壁２ｂに当たった水の一部が外槽カバー２ｄ側に流れる。外槽カバー２ｂ側で流れの滞留部分があると、この部分に未溶解洗剤が堆積する恐れがある。また、流入口１８から出て排水口２１へ向かう流れも、窪み部２ａに滞留部分があると未溶解の粉末洗剤が堆積する恐れがある。
【００５５】
そこで、窪み部２ａへ戻った水を確実に排水口２１側へ向かうようにする整流部材１８ａを本実施形態では設けた。
図１５は流入口１８に整流部材１８ａを設けた外槽２底部の断面図、図１６は図１５の２点鎖線Ｃ−Ｃ線で切断し矢印方向から見た窪み部２ａ、図１７は本実施例の整流部材１８ａの（ａ）開口部１８ｃ側における正面図、（ｂ）図１７（ａ）のＡ−Ａ線断面図、（ｃ）天井部１８ｂ近傍の拡大図である。
【００５６】
整流部材１８ａは、下端が流入口１８の出口に設けられて流入口１８の開口方向に延在する中空筒状の側面１８ｄと、側面１８ｄの上端側に設けられた開口部１８ｃと、側面１８ｄを上側から閉塞する天井部１８ｂとを有する。天井部１８ｂは、流入口１８に対向している。
【００５７】
整流部材１８ａは、側面に開口部１８ｃが設けられた有底筒状で、例えば有底の円筒形にすることができる。整流部材１８ａは、流入口１８の流れ方向に向かって窪み部２ａ内に突出するように設けられている。開口部１８ｃは、窪み部２ａの長手方向を向くか、窪み部２ａの斜向かい側、例えば側壁２ａ１側に向いている。側壁２ａ１は、窪み部２ａの側壁の内、排水口２１から遠い側の側壁である。
【００５８】
流入口１８から射出された水は、流入口１８から連なる側面１８ｄ内部を通って天井部１８ｂによって流れ方向が開口部１８ｃに向かう方向に変えられる。開口部１８ｃから出た水は、図１６の矢印で示したように排水口２１に向かい流れる。開口部１８ｃの向きが窪み部２ａの斜向かい側や側壁２ａ１側を向いている方が、未溶解洗剤の堆積を抑制する観点から好ましい。整流部材１８ａから外槽カバー２ｄに向かう側は、側面２ｄで閉塞されている。このため、外槽カバー２ｄ側に水が流れることを抑制でき、また、流れたとしても滞留することを抑制できるので、未溶解洗剤が堆積することを抑制できる。
【００５９】
天井部１８ｂは、開口部１８ｃに向かうにつれて下方に近づくよう傾斜しており、また、側面１８ｄの内のりの面積（水の流れ方向に垂直な断面における面積）は、開口部１８ｃの面積よりも大きい。これにより、側面１８ｄ内を流れる水は開口部１８ｃ近傍で加速され、勢いがついた状態で射出される。例えば、天井部１８ｂの傾斜によって、水が開口部１８ｃから上方に拡散することを抑制でき、側壁２ａ１側や排水口２１側に高速に水を供給することができる。
【００６０】
また、天井部１８ｂは、正面視において開口部１８ｃの中央側１８ｂｃの方が、端側１８ｂｓよりも開口部１８ｃの開口寸法を小さくするように突出している。すなわち、開口部１８ｃの上端は、正面視において下に凸となっている。これにより、開口部１８ｃの中心側では水流が強くなるため水の直進性が高まる。また、中心から遠ざかるほど吐出面積が広くなるので水流が横方向に拡散することができる。このため、開口部１８ｃの正面側に高速の水を射出できるとともに、一部の水を広範囲に拡散させて、周囲に沈殿し得る粉末洗剤を溶解させて再撹拌できる。本実施例においては「下に凸」であるが、一般には天井部１８ｂから離れる方向に凸とすることができる。
【００６１】
また、フィルタ２３ｃは格子状のフィルタであり、通過する未溶解の粉末洗剤が堆積することはない。
【００６２】
洗剤溶かし中（循環ポンプが逆回転中）、隔壁４６ｂの作用で吐出ポートＡ４４ａ部の
圧力は吐出ポートＢ４５ａの圧力より大幅に低くなっているため、水や未溶解の洗剤がノズル２７ａから洗濯兼脱水槽３内に出ることはない。しかし、蛇腹管Ｃ４１や循環ホース２７の途中まで未溶解の洗剤が入り込むことがある。そこで、洗剤溶かし中に循環ポンプ２４を一時停止するようにする。循環ポンプ２４が停止すると、蛇腹管Ｃ４１や循環ホース２７内に浸入した未溶解洗剤はケーシング４２内に戻る。そして、循環ポンプ２４を再度運転することで未溶解洗剤を無くすことができる。
【００６３】
ステップＳ１０９
洗剤溶かし水位２まで給水したら給水を停止する。この洗剤溶かし水位２は、洗剤溶かし水位１より多い水量であるが、例えば３リットル以上５リットル以下、好ましくは４リットル以下にすることができる。給水量の制御は、水位センサ３４により行う。この水量は外槽９の内底部に設けた電導度センサ５８が浸かればよいが、少ない水量であることが好ましい。洗い水の洗剤濃度が、最大で１０倍となるよう設定している。ここで、洗剤濃度は洗剤メーカの指定標準濃度（一般の粉末合成洗剤では水３０リットルに洗剤２０グラムを溶かしたときの濃度）を１倍と定義している。洗剤濃度を最大で１０倍とした理由は、次による。
【００６４】
一般の粉末合成洗剤には、界面活性剤のほか、助剤として酵素やアルカリ剤、水軟化剤、蛍光増白剤などが含まれている。洗剤濃度が高すぎると、蛍光増白剤による衣類の色むら（紫外線を当てると特に顕著）が発生するという問題がある。この色むらを目立たなくするには、洗剤濃度を１０倍以下に抑える必要がある。
【００６５】
ステップＳ１１０
循環ポンプモータ４７に通電し、循環ポンプ２４を逆回転させ洗剤溶かしを実行し、ステップ１０９で給水したため、第二の循環流路の洗い水の洗剤濃度を均一にする。
【００６６】
ステップＳ１１０での水量は、上記のように６リットルから８リットルにすることができる。本実施例のドラム式洗濯乾燥機では、この水量を給水すると水位は洗濯兼脱水槽３内に入る。このため、洗剤溶かし中に洗濯物に高い洗剤濃度の洗い水が染み込んでいく。このとき、モータ４に通電し洗濯兼脱水槽３を低速回転（毎分３０から４０回転）させることで、洗い水を洗濯物に均等に浸透させるようにしてもよい。
【００６７】
洗剤濃度が約１倍を超えると、洗剤に含まれる界面活性剤がミセルと呼ばれる集合体を形成するようになる。ミセルは、界面活性剤の疎水基が中心を向き、親水基が外側を向いた球状体で、その直径は１０ｎｍ程度である。疎水基に囲まれたミセルの中心部は、可溶化作用が大きく、油性物質や脂質を溶解する能力が非常に高い。また、ミセルの数は、洗剤濃度が高いほど多くなる。
【００６８】
ステップＳ１１１
前洗いを実行する。この前洗いは、洗濯兼脱水槽３を正逆回転（毎分３５回転から４５回転）させながら、循環ポンプモータ４７に循環ポンプ２４を正回転することによって外槽３の底部の洗い水をノズル２７ａから洗濯物上に降り掛ける。洗濯物は、洗濯兼脱水槽３の内周壁面に設けられたリフターで持ち上げられ、落下する運動を繰り返す。洗濯兼脱水槽３の回転と循環ポンプ２４の運転を間欠的に行い、洗濯兼脱水槽３と循環ポンプ２４の停止期間中に水位センサ３４の検出信号を参照しながら給水電磁弁１６ｂ開いて水位が設定水位を越えないように補給水する。この運転を複数回繰り返すことによって洗濯物にむらなく洗い水を染み込ませるように行う。
【００６９】
第１回目の洗濯兼脱水槽３の正逆回転時には、洗剤濃度が約１０倍の洗い水が洗濯物に降り掛かって該洗濯物内に浸透していく。高濃度の洗い水は、ノズル２７ａから薄い膜状に広がりながら散布されるため、洗剤の浸透作用で洗濯物にむらなく浸透する。洗濯物が多い場合、ノズル２７ａからの洗い水は洗濯兼脱水槽３の外周に近い部分の洗濯物へ行き渡りにくいが、ステップＳ１１０の洗剤溶かし中に洗濯兼脱水槽３を回転させることで、洗濯兼脱水槽３の外周側から洗濯物に洗い水が浸透するため、洗濯物全体に洗い水が浸透する。
【００７０】
洗濯物に浸透した高濃度の洗い水中には上述のミセルが多く含まれているため、油汚れを溶解し、洗濯物から汚れが浮き上がらせる効果が非常に大きく、高い洗浄力が得られる。
【００７１】
ノズル２７ａは、外槽カバー２ｄの前側上部にある。そこで、循環ポンプ２４の回転数を増減させて流量を変化させることで、シャワーの到達距離が変化させ、洗濯物へより均一に散布することができる。すなわち、回転数を低くし流量を少なくすると、シャワーを洗濯兼脱水槽３の手前側にある洗濯物に散布でき、回転数を高くして流量を増やすと、シャワーを洗濯兼脱水槽３の奥側にある洗濯物に散布できる。
【００７２】
補給水を繰り返すことによって洗濯物に降り掛かる洗い水の洗剤濃度が低下して行き、前洗い終了段階では、標準濃度の２倍程度となる。
【００７３】
ステップＳ１１２
本洗いを実行する。洗濯兼脱水槽３を正逆回転（毎分３５回転から４５回転）させながら循環ポンプ２４を正回転させて外槽３の底部に溜まった洗い水をノズル２７ａから洗濯物に降り掛ける。
【００７４】
最後に、洗濯水循環ポンプ２４の運転を停止して洗い水の循環を止め、洗濯兼脱水槽３を短周期で正逆回転させながら、洗濯物をほぐす運転を実行本洗い時間を終了させるようにする。
【００７５】
ステップＳ１１３
第１回目の溜めすすぎを実行する。この溜めすすぎでは、先ず、排水弁２５を開き外槽３内の水を排水し、排水が完了したことを水位センサ３４で検知した後に、洗濯兼脱水槽３を一方向（この実施例では、洗濯機の正面から見て反時計方向）に回転させて洗濯物に含まれている洗い水を遠心脱水する。
【００７６】
その後、給水電磁弁１６ｂを開き、水道水を洗剤容器１９に供給し、給水口２ａから設定水位になるまで外槽３底部に給水する。次に、本洗いと同様、洗濯兼脱水槽３を反転回転（毎分３５回転から４５回転）させながら、循環ポンプ２４を正回転して、外槽３の底部に溜まったすすぎ水をノズル２７ａから洗濯物に振り掛けるように循環し、すすぎを実行する。
【００７７】
次に、洗濯兼脱水槽３の回転と循環ポンプ２４の運転を停止した状態で外槽３の底部に溜まるすすぎ水の水位を水位センサ３４で検出しながら水位が設定水位を越えないように補給水を行う。
【００７８】
次に、洗濯兼脱水槽３を反転回転（毎分３５回転から４５回転）させながら、循環ポンプ２４正回転して、外槽３の底部に溜まったすすぎ水をノズル２７ａから洗濯物に振り掛けるように循環し、すすぎを実行する。ノズル２７ａから出るすすぎ水は、薄膜状となって洗濯物に散布されるため、洗濯物にむらなく掛かり、洗濯物に含まれる洗剤成分を効率よく希釈でき、すすぎ性能を高くできる。
【００７９】
その後、電動循環ポンプ２４を停止してすすぎ水の循環を止めた状態で、洗濯兼脱水槽３を短周期で正逆回転させ、ほぐし運転を行う。
【００８０】
ステップＳ１１４
第２回目の溜めすすぎを実行する。この第２回目の溜めすすぎは、柔軟仕上げ剤給水電磁弁１６ｃを開いて洗剤トレイ７の柔軟仕上げ剤投入室に給水することによって、柔軟仕上げ剤投入室内の柔軟仕上げ剤を外槽３の底部に導入する制御を付加する。それ以外の動作は、第１回目の溜めすすぎと同様に行う。
【００８１】
ステップＳ１１５
最終脱水処理を実行する。最終脱水は、排水弁２５を開放としたままの状態で洗濯兼脱水槽３を一方向（この実施例では、洗濯機の正面から見て反時計方向）に高速回転させるようにモータ４を運転して洗濯兼脱水槽３内の洗濯物を遠心脱水するように行う。この最終脱水の運転時間は、所望の脱水率が得られる時間に設定する。
【００８２】
ステップＳ１１６
洗濯乾燥コースが設定されているかどうかを確認して処理を分岐する。
【００８３】
ステップＳ１１７
洗濯乾燥コースが設定されている場合は、乾燥を実行する。この乾燥は、排水弁２５を開放したままの状態として、洗濯工程と同様に、洗濯兼脱水槽３を正逆回転させながら、乾燥ダクト２９の途中に設けた送風ファン２８を運転することによって外槽３内の空気を乾燥ダクト２９内に吸い出し、この乾燥ダクト２９内を通過するときに該乾燥ダクト２９内に設置した除湿機構から流れ落ちる冷却水（冷却水給水電磁弁をひらき供給する）に触れさせて冷却除湿した後にリントフィルタ８を通して糸屑を捕集し、ヒータによって加熱した後に温風吹き出し口から洗濯兼脱水槽３内に吹き込むことにより行う。
【００８４】
乾燥は、温度センサにより温風の温度を監視しながら実行し、温度変化の割合が所定の値になったときに終了する。
【符号の説明】
【００８５】
１  筐体
２  外槽
２ａ  窪み部
３  洗濯兼脱水槽
４  モータ
６  操作パネル
７  洗剤トレイ
９  ドア
１１  蒸気弁
１６  給水電磁弁
１８  流入口
１８ａ  整流部材
１９  洗剤容器
１９ａ  出水口
２０，４０，４１  蛇腹管
２１  排水口
２３  フィルタケース
２４  循環ポンプ
３８  制御装置
４２  ケーシング
４３  吸入口
４４，４５  吐出口
４４ａ，４５ａ  吐出ポート
４６ａ，４６ｂ  隔壁
４６  ランナー
４６ａ，４６ｂ  羽根
【図１】
2019047944.tif 000003
【図２】
2019047944.tif 000004
【図３】
2019047944.tif 000005
【図４】
2019047944.tif 000006
【図５】
2019047944.tif 000007
【図６】
2019047944.tif 000008
【図７】
2019047944.tif 000009
【図８】
2019047944.tif 000010
【図９】
2019047944.tif 000011
【図１０】
2019047944.tif 000012
【図１１】
2019047944.tif 000013
【図１２】
2019047944.tif 000014
【図１３】
2019047944.tif 000015
【図１４】
2019047944.tif 000016
【図１５】
2019047944.tif 000017
【図１６】
2019047944.tif 000018
【図１７】
2019047944.tif 000019